(57)【要約】【課題】高画質なカラー表示が可能であるとともに、各部材の位置調整を簡単に行うことができ、生産性に優れた光学装置および電子機器を提供すること。【解決手段】光学装置４４は、３つの偏光分離素子４４１と、３つの反射型電気光学装置５０と、クロスダイクロイックプリズム７０と、を備える。クロスダイクロイックプリズム７０は、第１光学素子７１と第２光学素子７２と第３光学素子７３と第４光学素子７４とが接合されてなる。第１光学素子７１は、第１面７１１、第２面７１２、第３面７１３、および第４面７１４を有し、第１面７１１と第２面７１２とが直交し、第３面７１３は第１面７１１と平行に形成され、第４面７１４は第３面７１３に対して４５°傾斜している。第３面７１３は偏光分離素子４４１に接合され、第４面７１４は反射型電気光学装置５０の画像形成領域５１Ａに接合されている。【選択図】図２
2011215522.tif 000002
【特許請求の範囲】
【請求項１】
複数の色光を色光毎に画像情報に応じて変調する複数の反射型光変調素子と、
前記反射型光変調素子に照射される光束および前記反射型光変調素子で変調された光束を偏光分離する複数の偏光分離素子と、
前記複数の反射型光変調素子にて変調され前記複数の偏光分離素子にて偏光分離された光束を合成して画像光を形成する色合成光学素子と、を備え、
前記色合成光学素子は、
互いに直交し、色合成膜がそれぞれ形成された第１面および第２面と、前記第１面に平行で前記偏光分離素子における偏光分離領域が接合された第３面と、前記第３面に対して４５°の角度をなし前記反射型光変調素子の光入射出側端面における画像形成領域に対向配置された第４面と、を有する第１光学素子、第２光学素子、および、第３光学素子を備え、
前記第１光学素子の第２面と前記第２光学素子の第２面とが接合され、
前記第２光学素子の第１面と前記第３光学素子の第２面とが接合され、
前記第１光学素子の第１面と前記第３光学素子の第１面とが三角柱状の透光性部材で接合された
ことを特徴とする光学装置。
【請求項２】
請求項１に記載の光学装置において、
前記第１面、前記第２面、前記第３面、および前記第４面に直交する端面は、平面視略台形状であり、
前記第４面には、前記反射型光変調素子の画像形成領域に対する貼付面を有する延設部が一体的に形成されている
ことを特徴とする光学装置。
【請求項３】
請求項１または請求項２に記載の光学装置を備えることを特徴とする電子機器。
【発明の詳細な説明】
【技術分野】
【０００１】
本発明は、各波長帯域に分離された光をそれぞれ変調し、これらの変調光を合成出力する光学装置および電子機器に関する。
【背景技術】
【０００２】
従来、プロジェクター等の投射装置では、入射光を各波長帯域（例えば、ＲＧＢ３色）の光に分離し、分離された光を反射型液晶パネルに入射させることで各光を変調させ、変調された３色の光を、偏光ビームフィルターやダイクロイックミラーを通してスクリーン上で重ね合わせてカラー表示している。
【０００３】
ここで、偏光ビームフィルター、ダイクロイックミラー、および反射型液晶パネルの相対位置がずれてしまうとスクリーン上の投影像において３色の画像光がずれ、カラー表示の画質が悪化してしまう。このような問題を解決するために、これらの３つの画像光が適切に重なるように、ダイクロイックミラー、反射型液晶パネルおよび偏光ビームフィルターの位置を調整して固定する技術が提案されている（例えば、特許文献１参照）。
特許文献１では、光合成プリズムの光束入射側端面の上下端部に２個の固定プレートをそれぞれ接合し、この固定プレートに偏光ビームフィルターと反射型液晶パネルとを接合することでそれぞれの位置を固定している。
【先行技術文献】
【特許文献】
【０００４】
【特許文献１】特開２００６−９９０８６号公報
【発明の概要】
【発明が解決しようとする課題】
【０００５】
しかしながら、特許文献１に記載の技術では、偏光ビームフィルターと反射型液晶パネルと光合成プリズムとの位置は固定できるものの、固定プレート等の部品点数が多くなるとともに、複数の固定プレートの位置調整を行う必要があるため組立作業が複雑となってしまい、生産性が悪化するという問題があった。
【０００６】
本発明の目的は、高画質なカラー表示が可能であるとともに、各部材の位置調整を簡単に行うことができ、生産性に優れた光学装置および電子機器を提供することである。
【課題を解決するための手段】
【０００７】
本発明の光学装置は、複数の色光を色光毎に画像情報に応じて変調する複数の反射型光変調素子と、前記反射型光変調素子に照射される光束および前記反射型光変調素子で変調された光束を偏光分離する複数の偏光分離素子と、前記複数の反射型光変調素子にて変調され前記複数の偏光分離素子にて偏光分離された光束を合成して画像光を形成する色合成光学素子と、を備え、前記色合成光学素子は、互いに直交し、色合成膜がそれぞれ形成された第１面および第２面と、前記第１面に平行で前記偏光分離素子における偏光分離領域が接合された第３面と、前記第３面に対して４５°の角度をなし前記反射型光変調素子の光入射出側端面における画像形成領域に対向配置された第４面と、を有する第１光学素子、第２光学素子、および、第３光学素子を備え、前記第１光学素子の第２面と前記第２光学素子の第２面とが接合され、前記第２光学素子の第１面と前記第３光学素子の第２面とが接合され、前記第１光学素子の第１面と前記第３光学素子の第１面とが三角柱状の透光性部材で接合されたことを特徴とする。
【０００８】
ここで、画像形成領域とは、反射型光変調素子の光入射出側端面のうち、各色光を変調して画像を形成する領域を意味する。さらに、偏光分離領域とは、偏光分離素子において光束を偏光分離する領域を意味する。
この発明では、色合成光学素子は、透光性の第１光学素子と第２光学素子と第３光学素子と三角柱状の透光性部材とが接合されてなる。第１光学素子と第２光学素子と第３光学素子とは同じ形状であり、それぞれが第１面と第２面と第３面と第４面とを有している。そして、第１面と第２面とが直交し、第３面は第１面に平行であり、第４面は第３面に対して４５°傾斜している。そして、各光学素子の第３面に偏光分離素子の偏光分離領域が接合され、第４面に反射型光変調素子の画像形成領域が対向配置されている。ここで、対向配置とは、第４面と反射型光変調素子の画像形成領域とが直接接合されることのほかにも、第４面と反射型光変調素子の画像形成領域とが他の部材を介して接合されるという意味をも含むものである。そして、各光学素子と三角柱状の透光性部材は互いに直交する第１面および第２面が隣接する光学素子の第１面または第２面と接合し、これらの接合面には色合成膜が形成され、反射型光変調素子で変調され偏光分子素子で偏光分離された各色の光束はこの色合成膜に入射することで合成されてスクリーン上に投射される。
【０００９】
これによれば、各光学素子と透光性部材とが互いに接合することで色合成光学素子として機能し、この色合成光学素子は各色光に対応する反射型光変調素子と偏光分離素子とを支持して固定している。すなわち、本発明の光学装置は、色合成光学素子と各色光に対応する反射型光変調素子と偏光分離素子とを固定するための部材がないため、色合成光学素子と反射型光変調素子と偏光分離素子との位置の調整箇所が減少し、これらの部材の位置がずれるというリスクを低減することができる。したがって、スクリーン上における各色の画像光を投射する際のずれを低減でき、高画質なカラー表示を提供することができる。
【００１０】
また、光学装置は、色合成光学素子に各反射型光変調素子と偏光分離素子とが一体化されている。従来は、光合成プリズムの上下端面で各部材を支持するため２個の固定プレートを用いていたが、本発明では、そのような固定するための部材を用いずに色合成光学素子に各反射型光変調素子と偏光分離素子とを固定している。これによれば、部品点数が抑えられるためコスト削減を図ることができる。また、部品点数の減少により色合成光学素子と反射型光変調素子と偏光分離素子との位置の調整箇所が減少するので組立作業性が向上する。すなわち、生産性に優れている。
【００１１】
本発明の光学装置において、前記第１面、前記第２面、前記第３面、および前記第４面に直交する端面は、平面視略台形状であり、前記第４面には、前記反射型光変調素子の画像形成領域に対する貼付面を有する延設部が一体的に形成されていることが好ましい。
【００１２】
この発明では、第１光学素子、第２光学素子、および第３光学素子の第４面に延設部が一体的に形成されている。この延設部は、反射型光変調素子の画像形成領域に対向配置されるため、その貼付面は第４面と平行に形成される。
これによれば、延設部の貼付面は第４面に対して偏光分離素子の反対側に位置するため、この延設部に貼り付けられる反射型光変調素子と偏光分離素子の端部との間隔を大きくすることができる。したがって、反射型光変調素子を各光学素子に貼り付ける際に部材同士が干渉することがないため、作業性に優れている。また、このように作業性に優れるので、各部材の位置調整を正確に行うことができる。
【００１３】
本発明の電子機器は、上述の光学装置を備えることを特徴とする。
この発明によれば、電子機器は上述した本発明の光学装置を備えているので、高品質な画像表示を行うことができるとともに、部品点数が少ないので容易に組立作業を行うことができ、生産性が向上する。
このような電子機器としては、例えば、液晶プロジェクター等の投射型表示装置が挙げられる。
【図面の簡単な説明】
【００１４】
【図１】本発明の第１実施形態に係るプロジェクターの構成を示す図。
【図２】第１実施形態における光学装置の接合状態を示す分解斜視図。
【図３】本発明の第２実施形態に係る光学装置を示す平面図。
【図４】本発明の第３実施形態に係る光学装置を示す平面図。
【発明を実施するための形態】
【００１５】
以下、本発明の実施形態を図面に基づいて説明する。
［第１実施形態］
〔プロジェクターの構成〕
図１は、プロジェクター１の概略構成を模式的に示す図である。
プロジェクター１は、光源から射出される光束を画像情報に応じて変調してカラー画像（画像光）を形成し、このカラー画像をスクリーン（図示略）上に拡大投射する。このプロジェクター１は、図１に示すように、略直方体状の外装筐体２と、投射レンズ３と、光学ユニット４等を備える。
【００１６】
投射レンズ３は、複数のレンズを組み合わせた組レンズとして構成され、光学ユニット４にて形成されたカラー画像をスクリーン上に拡大投射する。
光学ユニット４は、外装筐体２内の制御装置による制御の下、光源から射出された光束を光学的に処理して画像信号に対応したカラー画像を形成するユニットである。この光学ユニット４は、光源装置４１と、照明光学装置４２と、色分離光学装置４３と、光学装置４４等を備える。
光源装置４１は、光源ランプ４１１、リフレクター４１２、ＵＶ−ＩＲフィルター４１３等を備える。光源ランプ４１１から射出された光束は、リフレクター４１２によって射出方向が揃えられ、ＵＶ−ＩＲフィルター４１３を介して照明光学装置４２に向けて射出される。
【００１７】
照明光学装置４２は、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４４の後述する３枚の反射型液晶パネル５１上で重畳する。
【００１８】
色分離光学装置４３は、青色光を反射するＢ光反射ダイクロイックミラー４３２および緑色光、赤色光を反射するＧＲ光反射ダイクロイックミラー４３３がＸ字状に配置されたクロスダイクロイックミラー４３１、緑色光を反射するＧ光反射ダイクロイックミラー４３４、および２枚の反射ミラー４３５，４３６を備える。そして、色分離光学装置４３は、照明光学装置４２から射出された複数の部分光束を赤、緑、青の３色の色光に分離する。この分離された青色光、緑色光、赤色光は、光学装置４４を構成する後述する偏光分離素子４４１Ｂ，４４１Ｇ，４４１Ｒに入射する。
【００１９】
〔光学装置の詳細な構成〕
光学装置４４は、入射した光束を画像情報に応じて変調して画像光（カラー画像）を形成するものである。この光学装置４４は、３つの偏光分離素子４４１（赤色光側の偏光分離素子を４４１Ｒ、緑色光側の偏光分離素子を４４１Ｇ、青色光側の偏光分離素子を４４１Ｂとする）と、３つの反射型電気光学装置５０（偏光分離素子４４１と同様に、各色光側の反射型電気光学装置を５０Ｒ，５０Ｇ，５０Ｂとする）と、クロスダイクロイックプリズム７０と、を備える。
【００２０】
３つの偏光分離素子４４１は、入射光束の光軸に対して略４５°傾斜した状態で配置され、入射した光束を偏光分離する。そして、各偏光分離素子４４１は、入射した光束のうち、偏光変換素子４２３で揃えられた偏光方向と略同一の偏光方向を有する偏光光を透過させ、前記偏光方向に直交する偏光方向を有する偏光光を反射させ、入射した光束を偏光分離する。
【００２１】
３つの反射型電気光学装置５０は、図２に示すように、シリコン基板上に液晶が形成されたいわゆるＬＣＯＳ(Liquid Crystal On Silicon)で構成されている反射型液晶パネル５１（反射型電気光学装置５０と同様に、各色光側の反射型液晶パネルを５１Ｒ，５１Ｇ，５１Ｂとする）と、この反射型液晶パネル５１の熱を放熱する放熱部材５５を備える。そして、各反射型電気光学装置５０は、各偏光分離素子４４１を透過した光束の光軸に対して反射型液晶パネル５１が略直交した状態でそれぞれ配置される。
反射型液晶パネル５１は、互いに対向する素子基板５１０および対向基板５２０と、これらの間に密封封入された図示しない液晶を備える。この反射型液晶パネル５１は、前記制御装置からの駆動信号に応じて、前記液晶の配向状態が制御され、偏光分離素子４４１を透過した偏光光束の偏光方向を変調し、偏光分離素子４４１に向けて反射する。反射型液晶パネル５１にて変調され、偏光分離素子４４１に向けて反射された光束は、偏光変換素子４２３で揃えられた偏光方向に直交する偏光方向を有する偏光光のみが偏光分離素子４４１にて反射されてクロスダイクロイックプリズム７０の色分離膜に向う。
【００２２】
クロスダイクロイックプリズム７０は、各反射型液晶パネル５１で変調され、各偏光分離素子４４１にて反射された各色光を合成してカラー画像を形成する。このクロスダイクロイックプリズム７０は、直角プリズムである第１光学素子７１、第２光学素子７２、第３光学素子７３、および第４光学素子７４を貼り合わせて形成される。
第１光学素子７１は、透光性部材で構成されており、その線膨張係数は、４×１０−６／℃以上１０×１０−６／℃以下である。特に、反射型液晶パネル５１の線膨張係数と等しいことがより好ましい。
【００２３】
第１光学素子７１は、略長方形状の第１面７１１、第２面７１２、第３面７１３、および第４面７１４を有している。第１面７１１と第２面７１２とは互いに直交し、第３面７１３は第１面と平行に形成され、第４面７１４は第３面７１３に対して４５°傾斜している。これにより、第１面７１１、第２面７１２、第３面７１３、および第４面７１４に直交する端面７１５は、平面視略台形状に形成されている。
また、第３面７１３には偏光分離素子４４１の偏光分離領域４４１Ａが接合され、第４面７１４には反射型電気光学装置５０の画像形成領域５１Ａが接合されている。このように、クロスダイクロイックプリズム７０の一部を構成する第１光学素子７１は、偏光分離素子４４１および反射型電気光学装置５０を支持して固定する。
【００２４】
第２光学素子７２および第３光学素子７３は、第１光学素子７１１と同一の形状を有している。
第２光学素子７２は、第１面７２１、第２面７２２、第３面７２３、および第４面７２４を有し、第３面７２３に偏光分離素子４４１が接合され、第４面７２４に反射型電気光学装置５０の画像形成領域５１Ａが接合されている。
第３光学素子７３は、第１面７３１、第２面７３２、第３面７３３、および第４面７３４を有し、第３面７３３に偏光分離素子４４１が接合され、第４面７３４に反射型電気光学装置５０の画像形成領域５１Ａが接合されている。
【００２５】
第４光学素子７４は、三角柱状の透光性部材で構成される。互いに直交する第１面７４１および第２面７４２と、第１面７４１および第２面７４２を連結する第３面７４３と、を有している。第１面７４１、第２面７４２、および第３面７４３に直交する端面７４４は平面視略二等辺三角形状に形成されている。
【００２６】
これら４つの光学素子は、第１面および第２面が互いに接合されてクロスダイクロイックプリズム７０を形成する。すなわち、第１光学素子７１の第１面７１１は第４光学素子７４の第１面７４１に貼り合わせられ、第１光学素子７１の第２面７１２は第２光学素子７２の第２面７２２に貼り合わせられる。また、第２光学素子７２の第１面７２１は第３光学素子７３の第２面７３２に貼り合わせられ、第３光学素子７３の第１面７３１は第４光学素子７４の第２面７４２に貼り合わせられている。
【００２７】
これら４つの光学素子を貼り合わせた界面には、２つの誘電体多層膜が形成されている。これら誘電体多層膜は、偏光分離素子４４１Ｇにて反射された緑色光を透過し、各偏光分離素子４４１Ｒ，４４１Ｂにて反射された赤、緑色光をそれぞれ反射する。このようにして、各色光が合成されてカラー画像が形成される。そして、クロスダイクロイックプリズム７０で形成されたカラー画像は、上述した投射レンズ３によりスクリーンへ拡大投射される。
【００２８】
〔本実施形態の作用効果〕
上述した実施形態によれば、以下の作用効果を奏することができる。
光学装置４４は、第１光学素子７１、第２光学素子７２、第３光学素子７３、および第４光学素子７４からなるクロスダイクロイックプリズム７０を備え、第１光学素子７１、第２光学素子７２、および第３光学素子７３の各第３面に偏光分離素子４４１の偏光分離領域４４１Ａがそれぞれ接合され、各第４面には反射型電気光学装置５０の画像形成領域５１Ａがそれぞれ接合されている。このため、反射型電気光学装置５０および偏光分離素子４４１は、クロスダイクロイックプリズム７０に固定されるので、これらの相対位置がずれてしまうというリスクを低減することができる。したがって、スクリーン上における各色の画像光を投射する際のずれを提言でき、高画質なカラー表示を提供することができる。
【００２９】
光学装置４４は、反射型電気光学装置５０および偏光分離素子４４１をクロスダイクロイックプリズム７０を構成する各光学素子に接合しているので、部品点数を抑えることができ、コスト削減を図ることができる。また、部品点数の減少により各部材の位置の調整箇所が減少するので組立作業性が向上し、生産性に優れる。
【００３０】
さらに、クロスダイクロイックプリズム７０（第１光学素子７１、第２光学素子７２、および第３光学素子７３）に反射型電気光学装置５０の画像形成領域５１Ａおよび偏光分離素子４４１の偏光分離領域４４１Ａが接合されているので、これらの部材間に空間が存在しない。このことにより、これらの部材における画像光の形成に寄与する領域（画像形成領域５１Ａ、および偏光分離領域４４１Ａ）の間に塵埃が侵入することを防止できる。すなわち、第１光学素子７１、第２光学素子７２、および第３光学素子７３に防塵機能を持たせることができる。これによれば、光学装置４４にて形成する画像光に塵埃が入り込むことを抑制し、画像光を良好に維持でき、スクリーン等に劣化のない良好な投影画像を形成することができる。
【００３１】
〔本実施形態の変形例〕
なお、本発明は上述の実施形態に限定されるものではなく、本発明の目的を達成できる範囲での変形、改良等は本発明に含まれるものである。
例えば、光源装置４１は、放電発光型の光源装置で構成したが、これに限られず、例えば、レーザーダイオード、ＬＥＤ（Light Emitting Diode）、有機ＥＬ（Electro Luminescence）素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、上述の実施形態では、スクリーンを観察する方向から投射を行うフロントタイプのプロジェクターを例示したが、本発明は、スクリーンを観察する方向とは反対側から投射を行うリアタイプのプロジェクターにも適用可能である。
【００３２】
［第２実施形態］
第２実施形態では、第１実施形態で用いた光学装置４４の代わりに図３に示す光学装置４５を用いる。図３において、クロスダイクロイックプリズム７０の形状が異なる以外は、第１実施形態の光学装置４４と同様の構成であるので、同様の構成については説明を省略する。
クロスダイクロイックプリズム７５は、第１光学素子７５１、第２光学素子７５２、第３光学素子７５３、および第４光学素子７５４を貼り合わせて形成される。
第１光学素子７５１は、第１面７５１１、第２面７５１２、第３面７５１３、および第４面７５１４で構成される四角柱の第４面７５１４に延設部７５１５が一体形成された形状である。ここで、第１光学素子７５１の第４面７５１４は実際には存在しない面であるが、説明の便宜上、図３に一点鎖線で表記する。
【００３３】
図３に示すように、第１光学素子７５１は、第１面７５１１と第２面７５２２とが互いに直交し、第３面７５１３は第１面７５１１と平行に形成され、第４面７５１４は第３面７５１３に対して４５°傾斜している。第４面７５１４に延設された延設部７５１５は、反射型電気光学装置５０の画像形成領域５１Ａに対する貼付面７５１６を有しており、この貼付面７５１６は第４面７５１４と平行に形成される。したがって、第１光学素子７５１は、貼付面７５１６が第３面７５１３に対して４５°傾斜している。
【００３４】
第３面７５１３は偏光分離素子４４１の偏光分離領域４４１Ａ（図示しない）に貼り合わせられ、貼付面７５１６は反射型電気光学装置５０の画像形成領域５１Ａ（図示しない）に貼り合わせられている。このように、クロスダイクロイックプリズム７０の一部を構成する第１光学素子７５１は、反射型電気光学装置５０および偏光分離素子４４１を支持してその位置を固定する。
なお、第２光学素子７５２および第３光学素子７５３は第１光学素子７５１と同一の形状を有し、第４光学素子７５４は第１実施形態の第４光学素子７４と同一の形状であるため、説明は省略する。
【００３５】
〔第２実施形態の作用効果〕
このような光学装置４５によれば、第１実施形態と同様の作用効果のほかにも以下の作用効果を奏することができる。
第１光学素子７５１は、反射型電気光学装置５０側に延設部７５１５が一体形成されている。延設部７５１５の貼付面７５１６は第４面７５１４に対して偏光分離素子４４１の反対側に位置するため、反射型電気光学装置５０と偏光分離素子４４１の端部との間隔を大きくすることができる。したがって、これらの部材が干渉しないので、反射型電気光学装置５０を第１光学素子７５１に貼り付けやすい。すなわち、組立作業性が向上するとともに、第１光学素子７５１と反射型電気光学装置５０との位置調整を正確に行うことができる。
【００３６】
［第３実施形態］
第３実施形態では、第１実施形態で用いた光学装置４４の代わりに図４に示す光学装置４６を用いる。図４において、クロスダイクロイックプリズム７０の形状が異なる以外は、第１実施形態の光学装置４４と同様の構成であるので、同様の構成については説明を省略する。
クロスダイクロイックプリズム７６は、第１光学素子７６１、第２光学素子７６２、第３光学素子７６３、および第４光学素子７６４を貼り合わせて形成される。
【００３７】
第１光学素子７６１において、第１面７６１１と第２面７６１２とが互いに直交し、第３面７６１３は第１面７６１１と平行に形成され、第４面７６１４は第３面７６１３に対して４５°傾斜している。ここで、第４面７６１４は実際には存在しない面であるが、説明の便宜上、図４に一点鎖線で表記する。また、第１光学素子７６１は、第２面７６１２と第３面７６１３とを連結し、第４面７６１４に平行な第５面７６１７を有している。この第５面７６１７は、図４に示すように、平面視における第４面７６１４の長さに対して十分に短い長さを有する。これにより、第１面７６１１、第２面７６１２、第３面７６１３、第４面７６１４、および第５面７６１７によって形成される部材の端面は平面視略台形状に形成される。第１光学素子７６１は、第４面７６１４に延設部７６１５が一体形成されている。
【００３８】
延設部７６１５は、反射型電気光学装置５０の画像形成領域５１Ａ（図示しない）に対する貼付面７６１６を有しており、この貼付面７６１６は第４面７６１４と平行に形成される。したがって、第１光学素子７６１は、貼付面７６１６が第３面７６１３に対して４５°傾斜している。なお、延設部７６１５は、第２実施形態の延設部７５１５と同様の構成であり同様に機能する。
【００３９】
第３面７６１３には偏光分離素子４４１の偏光分離領域４４１Ａ（図示しない）が接合され、貼付面７６１６には反射型電気光学装置５０の画像形成領域５１Ａ（図示しない）が接合されている。このように、クロスダイクロイックプリズム７０の一部を構成する第１光学素子７６１は、反射型電気光学装置５０および偏光分離素子４４１を支持してその位置を固定する。すなわち、反射型電気光学装置５０および偏光分離素子４４１はクロスダイクロイックプリズム７６に直接接合されている。
なお、第２光学素子７６２および第３光学素子７６３は第１光学素子７６１と同一の形状を有し、第４光学素子７６４は第１実施形態の第４光学素子７４と同一の形状であるため、説明は省略する。
【００４０】
〔第３実施形態の作用効果〕
このような光学装置４６によれば、第２実施形態と同様の作用効果のほかにも以下の作用効果を奏することができる。
クロスダイクロイックプリズム７６の一部を構成する第１光学素子７６１は、第５面７６１７を有している。このため、第３面７６１３はクロスダイクロイックプリズム７０の中心からより離れた位置に配置されるため、第３面７６１３に接合される偏光分離素子４４１の端部と、隣接する光学素子に接合される部材との間隔を大きくすることができる。特に、第２光学素子７６２の反射型電気光学装置５０と第３光学素子７６３の偏光分離素子４４１との間隔を大きくすることができる。したがって、光学素子間の各部材が干渉しないので、各部材を各光学素子に貼り付けやすい。したがって、組立作業性が向上し、クロスダイクロイックプリズム７０と各部材との位置調整を正確に行うことができる。
【符号の説明】
【００４１】
１…プロジェクター、３…投射レンズ、４１…光源装置、４４，４５，４６…光学装置、４４１…偏光分離素子、５０…反射型電気光学装置、５１…反射型液晶パネル、７０，７５，７６…クロスダイクロイックプリズム、７１，７５１，７６１…第１光学素子、７１１、７５１１，７６１１…第１面、７１２、７５１２，７６１２…第２面、７１３，７５１３，７６１３…第３面、７１４…第４面、７２，７５２，７６２…第２光学素子、７３，７５３，７６３…第３光学素子、７４，７５４，７６４…第４光学素子、７５１５，７６１５…延設部、７５１６，７６１６…貼付面、７６１７…連結部。
【図１】
2011215522.tif 000003
【図２】
2011215522.tif 000004
【図３】
2011215522.tif 000005
【図４】
2011215522.tif 000006